(57)【要約】【課題】データ量の大きな画像データ等を送信する場合でも、音声データの遅延防止又はその遅延軽減を実現する。【解決手段】通信端末に対する音声信号及び制御信号の送受信を制御してＳＩＰによる通信端末同士のＰｏＣ通話を実現する送信制御サーバ装置において、通信端末から取得した、他の通信端末の表示画面に表示すべき画像データを記憶しておく。音声信号が現在送受信されていないと検出されている時に、画像データを他の通信端末へ送信する。このようにすれば、音声信号に影響を与えることなく画像データを送信でき、音声データの遅延防止又はその遅延軽減を実現できる。【選択図】      図１
2008301195.tif 000002
【特許請求の範囲】
【請求項１】
通信端末に対する音声信号及び制御信号の送受信を制御してＳＩＰによる通信端末同士のＰｏＣ通話を実現する送信制御サーバ装置であって、外部から取得した、他の通信端末の表示画面に表示すべき画像データを記憶する画像データ記憶手段と、前記音声信号の送受信状態を検出する検出手段と、前記検出手段により、音声信号が現在送受信されていないと検出されている時に、前記画像データについて送受信を行う画像データ送受信手段とを含むことを特徴とする送信制御サーバ装置。
【請求項２】
前記画像データ送受信手段は、前記画像データを、前記制御信号に含めて送受信することを特徴とする請求項１記載の送信制御サーバ装置。
【請求項３】
前記画像データ送受信手段は、前記画像データを複数に分割し、複数の前記制御信号に含めて送信し、かつ、前記制御信号に含まれている画像データを受信することを特徴とする請求項１記載の送信制御サーバ装置。
【請求項４】
前記制御信号は、ＳＩＰにおいて定義されている、ＩＮＶＩＴＥメッセージ、ＮＯＴＩＦＹメッセージ、２００ＯＫメッセージ、ＩＮＦＯメッセージ、ＭＥＳＳＡＧＥメッセージ、ＯＰＴＩＯＮＳメッセージ、ＲＥＦＥＲメッセージ、ＲＥＧＩＳＴＥＲメッセージ、ＳＵＢＳＣＲＩＢＥメッセージ、ＵＰＤＡＴＥメッセージ、の少なくとも１つであることを特徴とする請求項２又は３記載の送信制御サーバ装置。
【請求項５】
ＳＩＰによる音声信号及び制御信号を送受信することにより、他の通信端末との音声通話を実現する通信端末であって、自端末の表示画面に表示すべき画像データを記憶する画像データ記憶手段と、音声信号が送信されていない時に、前記画像データについて、送受信を行う画像データ送受信手段とを含むことを特徴とする通信端末。
【請求項６】
前記画像データ送受信手段は、前記制御信号に含まれている前記画像データを受信し、かつ、前記制御信号に含めて前記画像データを送信することを特徴とする請求項５記載の通信端末。
【請求項７】
前記画像データ送受信手段は、複数に分割され複数の前記制御信号に含まれている画像データを受信し、かつ、画像データを分割して複数の前記制御信号に含めて送信し、
前記画像データ記憶手段は、分割前の状態に復元された画像データを記憶することを特徴とする請求項５記載の通信端末。
【請求項８】
前記制御信号は、ＳＩＰにおいて定義されている、ＩＮＶＩＴＥメッセージ、ＮＯＴＩＦＹメッセージ、２００ＯＫメッセージ、ＩＮＦＯメッセージ、ＭＥＳＳＡＧＥメッセージ、ＯＰＴＩＯＮＳメッセージ、ＲＥＦＥＲメッセージ、ＲＥＧＩＳＴＥＲメッセージ、ＳＵＢＳＣＲＩＢＥメッセージ、ＵＰＤＡＴＥメッセージ、の少なくとも１つであることを特徴とする請求項６又は７記載の通信端末。
【発明の詳細な説明】
【技術分野】
【０００１】
本発明は送信制御サーバ装置、通信端末に関し、特に、ＰｏＣ（Push-to-Talk over Cellular）通信サービスに用いられる送信制御サーバ装置、通信端末に関する。
【背景技術】
【０００２】
携帯電話機等の移動通信端末（以下、通信端末と称する）をトランシーバのように使用することを可能にし、ボタンに触るだけで複数人によるグループ内でのコミュニケーションを実現するＰｏＣ通信サービスが実施されている。このＰｏＣ通信は１対１またはグループ間での迅速なコミュニケーション手段であり、ＰｏＣ通信では通信端末をトランシーバのように利用することができる。会話を開始するための操作は、ダイヤルボタンを押すのではなく、特定のボタンを押すという簡単な操作である。この通信の方式は、プッシュ・ツー・トーク（push-to-talk）方式とも呼ばれている。
【０００３】
ＰｏＣ通信を行うには、通信路が形成されていることを前提とし、ＳＩＰ（Session Initiation Protocol）によるRegistrationメッセージ、INVITEメッセージの後、ＲＴＰ（Real-Time Transport Protocol）による発言権（floor）の取得が行われる。ＰｏＣグループ通信においては、発言権を取得しているユーザのみが発言することができる。
ところで、カメラ付きの通信端末で撮影した画像データを、ＰｏＣ通信によって送信する技術が特許文献１に記載されている。
【特許文献１】特開２００６−８０６５４号公報
【発明の開示】
【発明が解決しようとする課題】
【０００４】
特許文献１に記載の技術によると、発言権を取得したタイミングで、データ量の大きな画像データが通信端末から送信されることになり、音声データの遅延を招く可能性がある。これでは、ＰｏＣ通信の音声品質が低下するという問題がある。
本発明は上述した従来技術の問題点を解決するためになされたものであり、その目的はデータ量の大きな画像データ等を送受信する場合でも、音声データの遅延防止又はその遅延軽減を実現できる送信制御サーバ装置、通信端末を提供することである。
【課題を解決するための手段】
【０００５】
本発明の請求項１による送信制御サーバ装置は、通信端末に対する音声信号及び制御信号の送受信を制御してＳＩＰによる通信端末同士のＰｏＣ通話を実現する送信制御サーバ装置であって、外部から取得した、他の通信端末の表示画面に表示すべき画像データを記憶する画像データ記憶手段と、前記音声信号の送受信状態を検出する検出手段と、前記検出手段により、音声信号が現在送受信されていないと検出されている時に、前記画像データについて送受信を行う画像データ送受信手段とを含むことを特徴とする。このようにすれば、音声信号に影響を与えることなく画像データを送受信でき、音声データの遅延防止又はその遅延軽減を実現できる。
【０００６】
本発明の請求項２による送信制御サーバ装置は、請求項１において、前記画像データ送受信手段は、前記画像データを、前記制御信号に含めて送受信することを特徴とする。このようにすれば、制御信号を利用して画像データを送受信することにより、特別な信号を定義する必要がない。
本発明の請求項３による送信制御サーバ装置は、請求項１において、前記画像データ送受信手段は、前記画像データを複数に分割し、複数の前記制御信号に含めて送信し、かつ、前記制御信号に含まれている画像データを受信することを特徴とする。このようにすれば、データ量の大きな画像データを、分割して送受信することができる。
【０００７】
本発明の請求項４による送信制御サーバ装置は、請求項２又は３において、前記制御信号は、ＳＩＰにおいて定義されている、ＩＮＶＩＴＥメッセージ、ＮＯＴＩＦＹメッセージ、２００ＯＫメッセージ、ＩＮＦＯメッセージ、ＭＥＳＳＡＧＥメッセージ、ＯＰＴＩＯＮＳメッセージ、ＲＥＦＥＲメッセージ、ＲＥＧＩＳＴＥＲメッセージ、ＳＵＢＳＣＲＩＢＥメッセージ、ＵＰＤＡＴＥメッセージ、の少なくとも１つであることを特徴とする。これらのメッセージのＳＩＰボディ部に画像データを付加することにより、特別な信号を定義することなく、画像データを送信することができる。
【０００８】
本発明の請求項５による通信端末は、ＳＩＰによる音声信号及び制御信号を送受信することにより、他の通信端末との音声通話を実現する通信端末であって、自端末の表示画面に表示すべき画像データを記憶する画像データ記憶手段と、前記画像データ記憶手段に記憶すべき画像データを、音声信号が送信されていない時に、前記画像データについて、送受信を行う画像データ受信手段とを含むことを特徴とする。このようにすれば、音声信号に影響を与えることなく画像データを送受信でき、音声データの遅延防止又はその遅延軽減を実現できる。
【０００９】
本発明の請求項６による通信端末は、請求項５において、前記画像データ送受信手段が、前記制御信号に含まれている前記画像データを、受信し、かつ、前記制御信号に含めて前記画像データを送信することを特徴とする。このように、制御信号を利用して画像データを送受信することにより、特別な信号を定義する必要がない。
本発明の請求項７による通信端末は、請求項５において、前記画像データ送受信手段が、複数に分割され複数の前記制御信号に含まれている画像データを受信し、かつ、画像データを分割して複数の前記制御信号に含めて送信し、
前記画像データ記憶手段が、分割前の状態に復元された画像データを記憶することを特徴とする。このようにすれば、データ量の大きな画像データについて、分割して送受信することができる。
【００１０】
本発明の請求項８による通信端末は、請求項６又は７において、前記制御信号は、ＳＩＰにおいて定義されている、ＩＮＶＩＴＥメッセージ、ＮＯＴＩＦＹメッセージ、２００ＯＫメッセージ、ＩＮＦＯメッセージ、ＭＥＳＳＡＧＥメッセージ、ＯＰＴＩＯＮＳメッセージ、ＲＥＦＥＲメッセージ、ＲＥＧＩＳＴＥＲメッセージ、ＳＵＢＳＣＲＩＢＥメッセージ、ＵＰＤＡＴＥメッセージ、の少なくとも１つであることを特徴とする。これらのメッセージのＳＩＰボディ部に画像データを付加することにより、特別な信号を定義することなく、画像データを受信することができる。
【発明の効果】
【００１１】
本発明によれば、音声信号が現在送受信されていないと検出されている時に、画像データを送受信することにより、音声信号に影響を与えることなく画像データを送受信でき、音声データの遅延防止又はその遅延軽減を実現できるという効果がある。
【発明を実施するための最良の形態】
【００１２】
以下、本発明の実施の形態を、図面を参照して説明する。なお、以下の説明において参照する各図では、他の図と同等部分は同一符号によって示されている。
（システム全体の構成例）
図１は、本発明による送信制御サーバ装置を用いたＰｏＣ通信システムの構成例を示すブロック図である。同図において、本例のＰｏＣ通信システムは、ＰｏＣグループ通信を行うユーザが使用する通信端末１１、１２、１３と、交換機２１、２２、２３と、ＳＩＰサーバ装置３１、３２、３３と、送信制御サーバ装置４０とを含んで構成されている。なお、各交換機２１、２２、２３には図示せぬ通信端末との間で無線通信を行うことのできる無線エリアを形成するための基地局や基地局制御装置が接続されており、これらを介して各通信端末との間で無線による信号授受が行われる。
ＳＩＰサーバ装置３１、３２、３３は、ＰｏＣグループ通信を実現するために、ＳＩＰ登録機能、ＳＩＰ転送（ＰｏＣ呼制御）機能、ＳＩＰアプリケーション振り分け機能、を有している。
【００１３】
（データ構造の例）
図２は、本システムにおいて送受信される制御信号のデータ構造の例を示す図である。同図において、制御信号１００は、ＳＩＰヘッダ部１００ａと、ＳＩＰボディ部１００ｂとから構成されている。ＳＩＰヘッダ部１００ａは、その制御信号の種別を示す情報が格納される。ＳＩＰの制御信号には、セッション参加リクエストである「ＩＮＶＩＴＥ」、ＩＮＶＩＴＥに対する応答である「２００ＯＫ」、ＩＮＶＩＴＥに対する最終レスポンス確認である「ＡＣＫ」、要請されたイベントの通知／伝達である「ＮＯＴＩＦＹ」などのメッセージがあり、これらの種別を示す情報がＳＩＰヘッダ部１００ａに格納される。
【００１４】
ＳＩＰボディ部１００ｂには、送信すべきデータが格納される。ここでは、このＳＩＰボディ部１００ｂに、画像データが格納される。この画像データは、通信端末の画面に表示すべきデータである。例えば、発言権を取得している通信端末に対応する画像データを表示することにより、発言中のユーザの顔写真などを画面に表示しながら、ＰｏＣ通信を行うことができる。
【００１５】
（送信制御サーバ装置の構成例）
図３は本システムにおいて用いられる送信制御サーバ装置４０が有している機能のうち、本システムに関連性のある機能構成を示すブロック図である。同図に示されているように、送信制御サーバ装置４０は、制御信号の送信を行うＭＲＦＣ（Multimedia Resource Function Controller）機能部４１と、音声信号の送信状態を検出するＭＲＦＰ（Multimedia Resource Function Processor）機能部４２とを含んで構成されている。
【００１６】
ＭＲＦＣ機能部４１は、通信端末から取得した、他の通信端末の表示画面に表示すべき画像データを記憶する画像データ記憶部４１ａと、音声信号が現在送受信されていないと検出されている時に、画像データを他の通信端末へ送信する画像データ送信部４１ｂとを有している。
ＭＲＦＰ機能部４２は、ＲＴＰパケットが流れているかどうかを検出することによって、音声データの送受信状態を検出する送受信状態検出部としての機能を有している。具体的には、ＲＴＣＰ（Real-Time Transport Control Protocol）によって発言権が取得されていない場合に、音声データが流れていないと判断する。
【００１７】
以上の構成により、送信制御サーバ装置４０は、音声信号の送信タイミングと制御信号の送信タイミングとを調整するので、データ量の大きな画像データ等を送信する場合でも、音声データの遅延防止又はその遅延軽減を実現できる。
この他、送信制御サーバ装置４０は、図示せぬ、ＣＰＵ、画面表示部、入力部、送受信部など、一般的なサーバ装置と同様の機能を有している。
【００１８】
（通信端末の構成例）
図４は本システムにおいて用いられる通信端末１１〜１３が有している機能のうち、本システムに関連性のある機能構成を示すブロック図である。同図に示されているように、通信端末は、自端末の表示画面に表示すべき画像データを記憶する画像データ記憶部１０ａと、この画像データ記憶部１０ａに記憶すべき画像データを、音声信号が送信されていない時に、受信する画像データ受信部１０ｂとを含んで構成されている。後述するように、画像データは、複数に分割され、複数の制御信号に付加されて送信される場合もある。この場合、画像データ受信部１０ｂは、受信した画像データを分割前の状態に復元し、この復元された画像データが画像データ記憶部１０ａに記憶されることになる。データの分割手法、およびその復元手法については、周知の技術を利用できるので、ここでは詳述しない。
この他、各通信端末１１〜１３は、図示せぬ、画面表示部、入力部、送受信部など、一般的な通信端末と同様の機能を有している。
【００１９】
（システムの動作例）
以上のような構成からなるＰｏＣ通信システムの動作例について、図５および図６を参照して説明する。同図において、通信端末１１に画像データＡ、通信端末１２に画像データＢ、通信端末１３に画像データＣ、がそれぞれ記憶されている。本例では、通信端末１１がグループ通信を開始する端末すなわちイニシエータである。以下、（１）から（７）までの処理により、画像データが送受信される。
【００２０】
（１）通信端末１１から、セッション参加リクエストであるＩＮＶＩＴＥメッセージが送信される。このＩＮＶＩＴＥメッセージ（以下、単にＩＮＶＩＴＥと呼ぶ）のＳＩＰボディ部には、画像データＡが含まれている。すると、交換機２１、ＳＩＰサーバ装置３１を経由してＩＮＶＩＴＥが送信制御サーバ装置４０によって受信される。
（２）送信制御サーバ装置４０では、受信したＩＮＶＩＴＥのＳＩＰボディ部に含まれている画像データＡを記憶して保存する。
【００２１】
（３）送信制御サーバ装置４０は、通信端末１２、１３へ、ＩＮＶＩＴＥを送信する。このＩＮＶＩＴＥのＳＩＰボディ部には、画像データＡが含まれている。この場合、送信制御サーバ装置４０は、自装置に保存しておいた画像データＡをＩＮＶＩＴＥのＳＩＰボディ部に付加する。
（４）送信制御サーバ装置４０から送信されたＩＮＶＩＴＥを受信した通信端末１２は、それに含まれている画像データＡを記憶すると共に、画面に表示する。そのＩＮＶＩＴＥを受信した通信端末１３も同様に、それに含まれている画像データＡを記憶すると共に、画面に表示する。
【００２２】
（５）通信端末１２、１３は、いずれも、送信制御サーバ装置４０に向けて、ＩＮＶＩＴＥに対する応答として２００ＯＫメッセージ（以下、単に２００ＯＫと呼ぶ）を返信する。通信端末１２から返信される２００ＯＫのＳＩＰボディ部には、画像データＢが含まれている。また、通信端末１３から返信される２００ＯＫのＳＩＰボディ部には、画像データＣが含まれている。
（６）通信端末１２、１３からそれぞれ送信される２００ＯＫを受信した送信制御サーバ装置４０は、それらに含まれている画像データＢ、Ｃを記憶する。
（７）その後、送信制御サーバ装置４０は、通信端末１１へ、２００ＯＫを送信する。この場合、送信制御サーバ装置４０は、自装置に保存しておいた画像データＢ、画像データＣを２００ＯＫのＳＩＰボディ部に付加する。
【００２３】
（８）ところで、ＩＮＶＩＴＥや２００ＯＫで画像データＡ、画像データＢ、画像データＣの全ての送受信を完了できない場合、ＮＯＴＩＦＹを用いて送受信する。すなわち、図６に示されているように、それらをＳＩＰボディ部に付加したＮＯＴＩＦＹを送信することにより、画像データを送信する。この場合、送信制御サーバ装置４０は、通信端末１２へ、画像データＡ、画像データＣを、ＮＯＴＩＦＹのＳＩＰボディ部に付加して送信する。また、送信制御サーバ装置４０は、通信端末１３へ、画像データＡ、画像データＢをＮＯＴＩＦＹのＳＩＰボディ部に付加して送信する。
なお、以上の動作において、画像データのデータ量が大きい場合、１つの画像データを分割して、複数回に分けてＳＩＰボディ部に付加することで画像データを送信すればよい。
【００２４】
次に、より具体的な動作例１〜動作例３について説明する。
（動作例１）
以下、本システムの動作例１について、図７〜図９を参照して説明する。これらの図には、通信端末１１〜１３、ＳＩＰサーバ装置３１〜３３、送信制御サーバ装置４０、における信号の授受が示されている。
図７において、最初に、送信すべき画像データＡが通信端末１１に設定される（ステップＳ１０１ａ）。なお、通信端末１２に画像データＢ、通信端末１３に画像データＣ、が予め保持されている（ステップＳ１０１ｂ、ステップＳ１０１ｃ）。
【００２５】
この状態で、通信端末１１からＩＮＶＩＴＥが送信される（ステップＳ１０２）。このＩＮＶＩＴＥのＳＩＰボディ部には、画像データＡが付加されている。このＩＮＶＩＴＥは、ＳＩＰサーバ装置３１を介して送信制御サーバ装置４０に送られる（ステップＳ１０３）。このＩＮＶＩＴＥを受信した送信制御サーバ装置４０においては、受信したＩＮＶＩＴＥに付加されている画像データＡが保存される（ステップＳ１０４）。
【００２６】
次に、送信制御サーバ装置４０は、通信端末１２に向けてＩＮＶＩＴＥを送信する（ステップＳ１０５）。このＩＮＶＩＴＥのＳＩＰボディ部には、画像データＡが付加されている。このＩＮＶＩＴＥは、ＳＩＰサーバ装置３１、３２を順に経由して通信端末１２に送られる（ステップＳ１０６、Ｓ１０７）。このＩＮＶＩＴＥを受信した通信端末１２においては、受信したＩＮＶＩＴＥに付加されている画像データＡが保存される（ステップＳ１０８）。
【００２７】
次に、送信すべき画像データＢが通信端末１２に設定される（ステップＳ１０９）。この状態で、通信端末１２がＰｏＣ通信に参加する場合、通信端末１１からのＩＮＶＩＴＥに対する返信として、２００ＯＫが通信端末１２から送信される（ステップＳ１１０）。この２００ＯＫのＳＩＰボディ部には、画像データＢが付加されている。この２００ＯＫは、ＳＩＰサーバ装置３２、ＳＩＰサーバ装置３１を介して送信制御サーバ装置４０に送られる（ステップＳ１１１、Ｓ１１２）。この２００ＯＫを受信した送信制御サーバ装置４０においては、受信した２００ＯＫに付加されている画像データＢが保存される（ステップＳ１１３）。
【００２８】
その後、送信制御サーバ装置４０から通信端末１２に向けてＡＣＫメッセージ（以下、単にＡＣＫと呼ぶ）が送信され、ＳＩＰサーバ装置３１、ＳＩＰサーバ装置３２を介して通信端末１２に送られる（ステップＳ１１４、Ｓ１１５、Ｓ１１６）。
次に、送信制御サーバ装置４０から通信端末１１に向けて２００ＯＫが送信される（ステップＳ１１７）。この２００ＯＫのＳＩＰボディ部には、画像データＢが付加されている。この２００ＯＫは、ＳＩＰサーバ装置３１を介して通信端末１１に送られる（ステップＳ１１８）。この２００ＯＫを受信した通信端末１１においては、受信した２００ＯＫに付加されている画像データＢが保存される（ステップＳ１１９）。
その後、通信端末１１から送信制御サーバ装置４０に向けてＡＣＫが送信され、ＳＩＰサーバ装置３１を介して送信制御サーバ装置４０に送られる（ステップＳ１２０、Ｓ１２１）。
【００２９】
図８に移行し、送信制御サーバ装置４０は、通信端末１３に向けてＩＮＶＩＴＥを送信する（ステップＳ１２２）。このＩＮＶＩＴＥのＳＩＰボディ部には、画像データＡが付加されている。このＩＮＶＩＴＥは、ＳＩＰサーバ装置３１、３３を順に経由して通信端末１３に送られる（ステップＳ１２３、Ｓ１２４）。このＩＮＶＩＴＥを受信した通信端末１３においては、受信したＩＮＶＩＴＥに付加されている画像データＡが保存される（ステップＳ１２５）。
【００３０】
次に、送信すべき画像データＣが通信端末１３に設定される（ステップＳ１２６）。この状態で、通信端末１３がＰｏＣ通信に参加する場合、通信端末１１からのＩＮＶＩＴＥに対する返信として、２００ＯＫが通信端末１３から送信される（ステップＳ１２７）。この２００ＯＫのＳＩＰボディ部には、画像データＣが付加されている。この２００ＯＫは、ＳＩＰサーバ装置３３、ＳＩＰサーバ装置３１を介して送信制御サーバ装置４０に送られる（ステップＳ１２８、Ｓ１２９）。この２００ＯＫを受信した送信制御サーバ装置４０においては、受信した２００ＯＫに付加されている画像データＣが保存される（ステップＳ１３０）。
【００３１】
その後、送信制御サーバ装置４０から通信端末１３に向けてＡＣＫが送信され、ＳＩＰサーバ装置３１、ＳＩＰサーバ装置３３を介して通信端末１２に送られる（ステップＳ１３１、Ｓ１３２、Ｓ１３３）。
なお、図７中の処理ＳＡ（すなわち、ステップＳ１０５からステップＳ１２１まで）、図８中の処理ＳＢ（すなわち、ステップＳ１２２からステップＳ１３３まで）、については、並行して実施される。
【００３２】
以上の処理の後、発言権が取得されていない、floor Idle状態になり（ステップＳ１３４）、送信制御サーバ装置４０のＭＲＦＰ機能により音声信号が送信されていないことが検出されると、図９に移行し、ＭＲＦＣ機能への画像データ配信指示信号が送信される（ステップＳ１３５）。送信制御サーバ装置４０のＭＲＦＣ機能による画像データ配信が行われる場合、ＭＲＦＰ機能に対し、画像データ配信指示受付信号が送信される（ステップＳ１３６、Ｓ１３７）。
【００３３】
その後、送信制御サーバ装置４０から通信端末１１に向けて、ＮＯＴＩＦＹが送信される（ステップＳ１３８）。このＮＯＴＩＦＹのＳＩＰボディ部には、画像データＣが付加されている。このＮＯＴＩＦＹは、ＳＩＰサーバ装置３１を介して通信端末１１に送られる（ステップＳ１３９）。このＮＯＴＩＦＹを受信した通信端末１１においては、受信したＮＯＴＩＦＹに付加されている画像データＣが保存される（ステップＳ１４０）。その後、通信端末１１から送信制御サーバ装置４０に向けて２００ＯＫが送信され、ＳＩＰサーバ装置３１を介して送信制御サーバ装置４０に送られる（ステップＳ１４１、Ｓ１４２）。
【００３４】
また、送信制御サーバ装置４０から通信端末１２に向けて、ＮＯＴＩＦＹが送信される（ステップＳ１４３）。このＮＯＴＩＦＹのＳＩＰボディ部には、画像データＣが付加されている。このＮＯＴＩＦＹは、ＳＩＰサーバ装置３２を介して通信端末１２に送られる（ステップＳ１４４）。このＮＯＴＩＦＹを受信した通信端末１２においては、受信したＮＯＴＩＦＹに付加されている画像データＣが保存される（ステップＳ１４５）。  その後、通信端末１２から送信制御サーバ装置４０に向けて２００ＯＫが送信され、ＳＩＰサーバ装置３２を介して送信制御サーバ装置４０に送られる（ステップＳ１４６、Ｓ１４７）。
【００３５】
さらに、送信制御サーバ装置４０から通信端末１３に向けて、ＮＯＴＩＦＹが送信される（ステップＳ１４８）。このＮＯＴＩＦＹのＳＩＰボディ部には、画像データＢが付加されている。このＮＯＴＩＦＹは、ＳＩＰサーバ装置３３を介して通信端末１３に送られる（ステップＳ１４９）。このＮＯＴＩＦＹを受信した通信端末１３においては、受信したＮＯＴＩＦＹに付加されている画像データＢが保存される（ステップＳ１５０）。  その後、通信端末１３から送信制御サーバ装置４０に向けて２００ＯＫが送信され、ＳＩＰサーバ装置３３を介して送信制御サーバ装置４０に送られる（ステップＳ１５１、Ｓ１５２）。
【００３６】
以上の動作において、画像データＣのデータ量が大きい場合、１つの画像データを分割して、複数回に分けてＳＩＰボディ部に付加することで画像データＣを送信すればよい。この場合、送信制御サーバ装置４０から通信端末１１への送信処理（ステップＳ１３８〜Ｓ１４２）が画像データ分割数に応じた回数だけ繰返されることになる。送信制御サーバ装置４０から通信端末１２への送信処理（ステップＳ１４３〜Ｓ１４７）についても同様である。
【００３７】
以上説明した動作例１では、通信端末１２、通信端末１３へのＩＮＶＩＴＥに画像データを付加した場合に、セッション確立時間の遅延が予想される。このため、ＩＮＶＩＴＥ〜２００ＯＫのやり取りで取得できなかった画像データは、Floor Idle時に、例えばＮＯＴＩＦＹを用いて分割して送信する。なお、動作例２において説明するように、送信制御サーバ装置４０のＭＲＦＰ機能４２がFloor Requestを受信している時（すなわち音声データ受信時）は、ＮＯＴＩＦＹの送信は停止される。
【００３８】
（動作例２）
以下、画像データをｎ分割（ｎは自然数）して送受信する動作例２について、図１０〜図１８を参照して説明する。これらの図には、通信端末１１〜１３、ＳＩＰサーバ装置３１〜３３、送信制御サーバ装置４０、における信号の授受が示されている。
図１０を参照すると、最初に、通信端末１１に保存されている画像データＡについて、ｎ分割する処理が行われる（ステップＳ３０１ａ）。同様に、通信端末１２に保存されている画像データＢについてｎ分割する処理、通信端末１３に保存されている画像データＣについてｎ分割する処理が行われる（ステップＳ３０１ｂ、Ｓ３０１ｃ）。
【００３９】
その後、通信端末１１から、通信端末１２、１３に向けてＰｏＣ発信処理が開始される（ステップＳ３０２）。ＰｏＣ発信処理が開始されると、通信端末１１からＩＮＶＩＴＥが送信される（ステップＳ３０３）。このＩＮＶＩＴＥのＳＩＰボディ部には、ｎ分割された画像データＡの、１／ｎ部分が付加されている。また、画像データの分割数（すなわち、ｎ）も、このＩＮＶＩＴＥに付加されている。このＩＮＶＩＴＥは、ＳＩＰサーバ装置３１を介して送信制御サーバ装置４０に送られる（ステップＳ３０４）。このＩＮＶＩＴＥを受信した送信制御サーバ装置４０においては、受信したＩＮＶＩＴＥに付加されている画像データＡの１／ｎ部分が保存される（ステップＳ３０５）。
【００４０】
次に、送信制御サーバ装置４０から、通信端末１２、１３に向けてＩＮＶＩＴＥが送信される（ステップＳ３０６）。このＩＮＶＩＴＥは、送信制御サーバ装置４０から、ＳＩＰサーバ装置３１、３２を順に経由して通信端末１２に送られる（ステップＳ３０７、Ｓ３０８）。このＩＮＶＩＴＥのＳＩＰボディ部には、ｎ分割された画像データＡの、１／ｎ部分が付加されている。その結果、通信端末１２において、通信端末１１、１３とのＰｏＣグループ通信に関する着信処理が行われる（ステップＳ３０９）。そして、通信端末１２において、画像データＡがインターレース表示される（ステップＳ３１０）。すなわち、画像データＡについてｎ段階のインターレース表示が行われるのであり、今回はその１／ｎ部分に対応する表示が行われる。
【００４１】
また、ＩＮＶＩＴＥが、送信制御サーバ装置４０から、ＳＩＰサーバ装置３１、３３を順に経由して通信端末１３に送られる（ステップＳ３１１、Ｓ３１２）。このＩＮＶＩＴＥのＳＩＰボディ部には、ｎ分割された画像データＡの、１／ｎ部分が付加されている。その結果、通信端末１３において、通信端末１１、１２とのＰｏＣグループ通信に関する着信処理が行われる（ステップＳ３１３）。そして、通信端末１２において、画像データＡがインターレース表示される（ステップＳ３１４）。すなわち、画像データＡについて、ｎ段階のインターレース表示が行われるのであり、今回はその１／ｎ部分に対応する表示が行われる。
なお、図１０中の処理ＳＣ（すなわち、ステップＳ３０７からステップＳ３１０まで）、図８中の処理ＳＤ（すなわち、ステップＳ３１１からステップＳ３１４まで）、については、並行して実施される。
【００４２】
次に、図１１に移行し、通信端末１２がＰｏＣ通信に参加する場合、通信端末１１からのＩＮＶＩＴＥに対して応答する（ステップＳ３１５）。すると、２００ＯＫが通信端末１２から送信される（ステップＳ３１６）。この２００ＯＫのＳＩＰボディ部には、ｎ分割された画像データＢの、１／ｎ部分が付加されている。この２００ＯＫは、ＳＩＰサーバ装置３２、ＳＩＰサーバ装置３１を介して送信制御サーバ装置４０に送られる（ステップＳ３１７、Ｓ３１８）。この２００ＯＫを受信した送信制御サーバ装置４０においては、受信した２００ＯＫに付加されている画像データＢの１／ｎ部分が保存される（ステップＳ３１９）。
【００４３】
その後、送信制御サーバ装置４０から通信端末１２に向けてＡＣＫが送信され、ＳＩＰサーバ装置３１、ＳＩＰサーバ装置３２を介して通信端末１２に送られる（ステップＳ３２０、Ｓ３２１、Ｓ３２２）。
次に、送信制御サーバ装置４０から通信端末１１に向けて２００ＯＫが送信される（ステップＳ３２３）。この２００ＯＫのＳＩＰボディ部には、ｎ分割された画像データＢの、１／ｎ部分が付加されている。この２００ＯＫは、ＳＩＰサーバ装置３１を介して通信端末１１に送られる（ステップＳ３２４）。通信端末１１においては、２００ＯＫのＳＩＰボディ部に付加されている、画像データＢの１／ｎ部分が保存される（ステップＳ３２５）。
その後、通信端末１１から送信制御サーバ装置４０に向けてＡＣＫが送信され、ＳＩＰサーバ装置３１を介して送信制御サーバ装置４０に送られる（ステップＳ３２６、Ｓ３２７）。
【００４４】
以上の処理の後、図１２に移行し、発言権が取得されていない、floor Idle状態になる（ステップＳ３２８）。送信制御サーバ装置４０のＭＲＦＰ機能により音声信号が送信されていないことが検出されると、ＭＲＦＣ機能への画像データ配信指示信号が送信される（ステップＳ３２９）。すると、送信制御サーバ装置４０のＭＲＦＣ機能４１は、画像データ付きのＮＯＴＩＦＹを送信可能な状態になる（ステップＳ３３０）。そして、送信制御サーバ装置４０のＭＲＦＣ機能４１からＭＲＦＰ機能４２へ、画像データ配信指示受付信号が送信される（ステップＳ３３１）。
【００４５】
その後、通信端末１２が画像データ付きのＳＵＢＳＣＲＩＢＥを送信可能な状態になると（ステップＳ３３２）、通信端末１２からＳＵＢＳＣＲＩＢＥが送信される（ステップＳ３３３）。このＳＵＢＳＣＲＩＢＥのＳＩＰボディ部には、ｎ分割された画像データＢの、２／ｎ部分が付加されている。このＳＵＢＳＣＲＩＢＥは、ＳＩＰサーバ装置３２を介して送信制御サーバ装置４０に送信される（ステップＳ３３４）。このＳＵＢＳＣＲＩＢＥを受信した送信制御サーバ装置４０においては、ＳＵＢＳＣＲＩＢＥのＳＩＰボディ部に付加されている、ｎ分割された画像データＢの２／ｎ部分が保存される（ステップＳ３３５）。この保存の後、送信制御サーバ装置４０から通信端末１２に向けて２００ＯＫが送信される（ステップＳ３３５、Ｓ３３７）。
【００４６】
また、通信端末１１が画像データ付きのＳＵＢＳＣＲＩＢＥを送信可能な状態になると（ステップＳ３３８）、通信端末１１からＳＵＢＳＣＲＩＢＥが送信される（ステップＳ３３９）。このＳＵＢＳＣＲＩＢＥのＳＩＰボディ部には、ｎ分割された画像データＡの、２／ｎ部分が付加されている。このＳＵＢＳＣＲＩＢＥは、ＳＩＰサーバ装置３１を介して送信制御サーバ装置４０に送信される（ステップＳ３４０）。このＳＵＢＳＣＲＩＢＥを受信した送信制御サーバ装置４０においては、ＳＵＢＳＣＲＩＢＥのＳＩＰボディ部に付加されている、ｎ分割された画像データＡの２／ｎ部分が保存される（ステップＳ３４１）。この保存の後、送信制御サーバ装置４０から通信端末１１に向けて２００ＯＫが送信される（ステップＳ３４２、Ｓ３４３）。
なお、図１２中の処理ＳＥ（すなわち、ステップＳ３３２からステップＳ３３７まで）、図１２中の処理ＳＦ（すなわち、ステップＳ３３８からステップＳ３４３まで）、については、並行して実施される。
【００４７】
図１３に移行し、送信制御サーバ装置４０において、他の通信端末への画像データ（ここでは、画像データＡ）が保存されている場合（ステップＳ３４４）、送信制御サーバ装置４０から通信端末１２に向けてＮＯＴＩＦＹが送信される（ステップＳ３４５）。このＮＯＴＩＦＹのＳＩＰボディ部には、ｎ分割された画像データＡの、２／ｎ部分が付加されている。このＮＯＴＩＦＹは、ＳＩＰサーバ装置３２を介して通信端末１２に送信される（ステップＳ３４６）。通信端末１２においては、画像データＡがインターレース表示される（ステップＳ３４７）。すなわち、画像データＡについて、ｎ段階のインターレース表示が行われるのであり、今回はその２／ｎ部分に対応する表示が行われる。その後、通信端末１２から送信制御サーバ装置４０に向けて２００ＯＫが送信される（ステップＳ３４８、Ｓ３４９）。
【００４８】
また、送信制御サーバ装置４０において、他の通信端末への画像データ（ここでは、画像データＢ）が保存されている場合（ステップＳ３５０）、送信制御サーバ装置４０から通信端末１１に向けてＮＯＴＩＦＹが送信される（ステップＳ３５１）。このＮＯＴＩＦＹのＳＩＰボディ部には、ｎ分割された画像データＢの、２／ｎ部分が付加されている。このＮＯＴＩＦＹは、ＳＩＰサーバ装置３１を介して通信端末１１に送信される（ステップＳ３５２）。通信端末１１においては、画像データＢがインターレース表示される（ステップＳ３５３）。すなわち、画像データＢについて、ｎ段階のインターレース表示が行われるのであり、今回はその２／ｎ部分に対応する表示が行われる。その後、通信端末１１から送信制御サーバ装置４０に向けて２００ＯＫが送信される（ステップＳ３５４、Ｓ３５５）。
【００４９】
なお、図１３中の処理ＳＧ（すなわち、ステップＳ３４４からステップＳ３４９まで）、図１３中の処理ＳＨ（すなわち、ステップＳ３５０からステップＳ３５５まで）、については、並行して実施される。
ところで、図１４において、送信制御サーバ装置４０のＭＲＦＰ機能４２がFloor Requestを受信している時（すなわち音声データ受信時）は、ＮＯＴＩＦＹの送信は停止される（ステップＳ３５６）。TakenやGrantを受信している時も同様である。これにより、通信端末１１、通信端末１２は、画像データ付きのＳＵＢＳＣＲＩＢＥを送信できない状態になる（ステップＳ３５７ａ、Ｓ３５７ｂ）。
【００５０】
その場合、ＳＩＰサーバ装置３２から送信制御サーバ装置４０のＭＲＦＰ機能４２へ、画像データ配信停止指示が送られる（ステップＳ３５８）。この画像データ配信停止指示を受信した送信制御サーバ装置４０のＭＲＦＰ機能４２は、ＮＯＴＩＦＹ送信不可状態になる（ステップＳ３５９）。すると、ＭＲＦＰ機能４２は、画像データ配信停止を受付けた旨をＳＩＰサーバ装置３２に送信する（ステップＳ３６０）。以上の処理ＳＩは、図１２中の処理ＳＥおよび処理ＳＦ並びに図１３中の処理ＳＧおよび処理ＳＨと選択的に実施される。
【００５１】
なお、図１２、図１３および図１４を参照して説明した処理は、画像分割数分（すなわちｎ回）繰返される。つまり、Floor Idle時に、ＭＲＦＰ機能からＭＲＦＣ機能に画像データ配信指示を送信し、ＭＲＦＣ機能からＮＯＴＩＦＹまたは暗黙のＮＯＴＩＦＹを送信し、画像データを１／ｎずつ通信端末に送信する。また、Floor Idle時に、通信端末は、ＳＵＢＳＣＲＩＢＥを送信し、画像データを１／ｎずつＭＲＦＣ機能に送信する。一方、Floor Idle時以外の時は、ＭＲＦＣ機能において、ＳＵＢＳＣＲＩＢＥによって受信した画像データ（分割されたもの）をバッファリングする。このように、画像データを分割して送受信することにより、セッション確立時間の遅延を防止することができる。
【００５２】
次に、図１５に移行し、通信端末１３がＰｏＣ通信に参加する場合、通信端末１１からのＩＮＶＩＴＥに対して応答する（ステップＳ３６１）。すると、２００ＯＫが通信端末１３から送信される（ステップＳ３６２）。この２００ＯＫのＳＩＰボディ部には、ｎ分割された画像データＣの、１／ｎ部分が付加されている。この２００ＯＫは、ＳＩＰサーバ装置３３、ＳＩＰサーバ装置３１を介して送信制御サーバ装置４０に送られる（ステップＳ３６３、Ｓ３６４）。この２００ＯＫを受信した送信制御サーバ装置４０においては、受信した２００ＯＫに付加されている画像データＣの１／ｎ部分が保存される（ステップＳ３６５）。
その後、送信制御サーバ装置４０から通信端末１３に向けてＡＣＫが送信され、ＳＩＰサーバ装置３１、ＳＩＰサーバ装置３３を介して通信端末１３に送られる（ステップＳ３６６、Ｓ３６７、Ｓ３６８）。
【００５３】
以上の処理の後、図１６に移行し、発言権が取得されていない、floor Idle状態になる（ステップＳ３６９）。送信制御サーバ装置４０において、他の通信端末への画像データ（ここでは、画像データＣ）が保存されている場合（ステップＳ３７０）、送信制御サーバ装置４０から通信端末１１に向けてＮＯＴＩＦＹが送信される（ステップＳ３７１）。このＮＯＴＩＦＹのＳＩＰボディ部には、ｎ分割された画像データＢの、１／ｎ部分が付加されている。このＮＯＴＩＦＹは、ＳＩＰサーバ装置３１を介して通信端末１１に送信される（ステップＳ３７２）。通信端末１１においては、画像データＣがインターレース表示される（ステップＳ３７３）。すなわち、画像データＣについて、ｎ段階のインターレース表示が行われるのであり、今回はその１／ｎ部分に対応する表示が行われる。その後、通信端末１１から送信制御サーバ装置４０に向けて２００ＯＫが送信される（ステップＳ３７４、Ｓ３７５）。
【００５４】
また、送信制御サーバ装置４０において、他の通信端末への画像データ（ここでは、画像データＣ）が保存されている場合（ステップＳ３７６）、送信制御サーバ装置４０から通信端末１２に向けてＮＯＴＩＦＹが送信される（ステップＳ３７７）。このＮＯＴＩＦＹのＳＩＰボディ部には、ｎ分割された画像データＣの、１／ｎ部分が付加されている。このＮＯＴＩＦＹは、ＳＩＰサーバ装置３２を介して通信端末１２に送信される（ステップＳ３７８）。通信端末１２においては、画像データＣがインターレース表示される（ステップＳ３７９）。すなわち、画像データＣについて、ｎ段階のインターレース表示が行われるのであり、今回はその１／ｎ部分に対応する表示が行われる。その後、通信端末１２から送信制御サーバ装置４０に向けて２００ＯＫが送信される（ステップＳ３８０、Ｓ３８１）。
【００５５】
通信端末１３が画像データ付きのＳＵＢＳＣＲＩＢＥを送信可能な状態になると（ステップＳ３８２）、通信端末１３からＳＵＢＳＣＲＩＢＥが送信される（ステップＳ３８３）。このＳＵＢＳＣＲＩＢＥのＳＩＰボディ部には、ｎ分割された画像データＣの、２／ｎ部分が付加されている。このＳＵＢＳＣＲＩＢＥは、ＳＩＰサーバ装置３２を介して送信制御サーバ装置４０に送信される（ステップＳ３８４）。このＳＵＢＳＣＲＩＢＥを受信した送信制御サーバ装置４０においては、ＳＵＢＳＣＲＩＢＥのＳＩＰボディ部に付加されている、ｎ分割された画像データＢの２／ｎ部分が保存される（ステップＳ３８５）。この保存の後、送信制御サーバ装置４０から通信端末１３に向けて２００ＯＫが送信される（ステップＳ３８６、Ｓ３８７）。
なお、図１６中の処理ＳＪ（すなわち、ステップＳ３７０からステップＳ３７５まで）、図１６中の処理ＳＫ（すなわち、ステップＳ３７６からステップＳ３８１まで）、図１６中の処理ＳＬ（すなわち、ステップＳ３８２からステップＳ３８７まで）、については、並行して実施される。
【００５６】
図１７に移行し、送信制御サーバ装置４０において、他の通信端末への画像データ（ここでは、画像データＣ）が保存されている場合（ステップＳ３８８）、送信制御サーバ装置４０から通信端末１１に向けてＮＯＴＩＦＹが送信される（ステップＳ３８９）。このＮＯＴＩＦＹのＳＩＰボディ部には、ｎ分割された画像データＣの、２／ｎ部分が付加されている。このＮＯＴＩＦＹは、ＳＩＰサーバ装置３１を介して通信端末１１に送信される（ステップＳ３９０）。通信端末１１においては、画像データＣがインターレース表示される（ステップＳ３９１）。すなわち、画像データＣについて、ｎ段階のインターレース表示が行われるのであり、今回はその２／ｎ部分に対応する表示が行われる。その後、通信端末１１から送信制御サーバ装置４０に向けて２００ＯＫが送信される（ステップＳ３９２、Ｓ３９３）。
【００５７】
また、送信制御サーバ装置４０において、他の通信端末への画像データ（ここでは、画像データＣ）が保存されている場合（ステップＳ３９４）、送信制御サーバ装置４０から通信端末１２に向けてＮＯＴＩＦＹが送信される（ステップＳ３９５）。このＮＯＴＩＦＹのＳＩＰボディ部には、ｎ分割された画像データＣの、２／ｎ部分が付加されている。このＮＯＴＩＦＹは、ＳＩＰサーバ装置３２を介して通信端末１２に送信される（ステップＳ３９６）。通信端末１２においては、画像データＣがインターレース表示される（ステップＳ３９７）。すなわち、画像データＣについて、ｎ段階のインターレース表示が行われるのであり、今回はその２／ｎ部分に対応する表示が行われる。その後、通信端末１２から送信制御サーバ装置４０に向けて２００ＯＫが送信される（ステップＳ３９８、Ｓ３９９）。
【００５８】
さらに、送信制御サーバ装置４０において、他の通信端末への画像データ（ここでは、画像データＢ）が保存されている場合（ステップＳ４００）、送信制御サーバ装置４０から通信端末１３に向けてＮＯＴＩＦＹが送信される（ステップＳ４０１）。このＮＯＴＩＦＹのＳＩＰボディ部には、ｎ分割された画像データＢの、１／ｎ部分が付加されている。このＮＯＴＩＦＹは、ＳＩＰサーバ装置３３を介して通信端末１３に送信される（ステップＳ４０２）。通信端末１３においては、画像データＢがインターレース表示される（ステップＳ４０３）。すなわち、画像データＢについて、ｎ段階のインターレース表示が行われるのであり、今回はその１／ｎ部分に対応する表示が行われる。その後、通信端末１３から送信制御サーバ装置４０に向けて２００ＯＫが送信される（ステップＳ４０４、Ｓ４０５）。
【００５９】
なお、図１７中の処理ＳＭ（すなわち、ステップＳ３８８からステップＳ３９３まで）、図１７中の処理ＳＮ（すなわち、ステップＳ３９４からステップＳ３９９まで）、図１７中の処理ＳＯ（すなわち、ステップＳ４００からステップＳ４０５まで）、については、並行して実施される。
ところで、図１８において、送信制御サーバ装置４０のＭＲＦＰ機能４２がFloor Requestを受信している時（すなわち音声データ受信時）は、ＮＯＴＩＦＹの送信は停止される（ステップＳ４０６）。TakenやGrantを受信している時も同様である。これにより、通信端末１１、通信端末１２は、画像データ付きのＳＵＢＳＣＲＩＢＥを送信できない状態になる（ステップＳ４０７ａ、Ｓ４０７ｂ、Ｓ４０７ｃ）。
【００６０】
その場合、ＳＩＰサーバ装置３２から送信制御サーバ装置４０のＭＲＦＰ機能４２へ、画像データ配信停止指示が送られる（ステップＳ４０８）。この画像データ配信停止指示を受信した送信制御サーバ装置４０のＭＲＦＰ機能４２は、ＮＯＴＩＦＹ送信不可状態になる（ステップＳ４０９）。すると、ＭＲＦＰ機能４２は、画像データ配信停止を受付けた旨をＳＩＰサーバ装置３２に送信する（ステップＳ４１０）。以上の処理ＳＰは、図１６中の処理ＳＪ、処理ＳＫおよび処理ＳＬ並びに図１７中の処理ＳＭ、処理ＳＮおよび処理ＳＯと選択的に実施される。
【００６１】
なお、図１６、図１７および図１８を参照して説明した処理は、画像分割数分（すなわちｎ回）繰返される。つまり、Floor Idle時に、ＭＲＦＰ機能からＭＲＦＣ機能に画像データ配信指示を送信し、ＭＲＦＣ機能からＮＯＴＩＦＹまたは暗黙のＮＯＴＩＦＹを送信し、画像データを１／ｎずつ通信端末に送信する。また、Floor Idle時に、通信端末は、ＳＵＢＳＣＲＩＢＥを送信し、画像データを１／ｎずつＭＲＦＣ機能に送信する。一方、Floor Idle時以外の時は、ＭＲＦＣ機能において、ＳＵＢＳＣＲＩＢＥによって受信した画像データ（分割されたもの）をバッファリングする。このように、画像データを分割して送受信することにより、セッション確立時間の遅延を防止することができる。
【００６２】
（変形例）
上記は、ＩＮＶＩＴＥメッセージ、ＮＯＴＩＦＹメッセージ、２００ＯＫメッセージ、ＳＵＢＳＣＲＩＢＥメッセージ、を利用して画像データを送受信する場合について説明したが、それ以外のメッセージ、例えば、ＩＮＦＯメッセージ、ＭＥＳＳＡＧＥメッセージ、ＯＰＴＩＯＮＳメッセージ、ＲＥＦＥＲメッセージ、ＲＥＧＩＳＴＥＲメッセージ、ＵＰＤＡＴＥメッセージ、を利用して画像データを送受信してもよい。
【００６３】
（まとめ）
本システムによれば、音声データを送信していない時に、制御データに付加して画像データを送信しているので、データ量の大きな画像データ等を送信する場合でも、音声データの遅延防止又はその遅延軽減を実現できる。なお、画像データに限らず、ＰｏＣ通信において用いる、データ量の大きなデータの送信について、本システムを適用してもよい。
【産業上の利用可能性】
【００６４】
本発明は、ＰｏＣ通信サービスに利用することができる。
【図面の簡単な説明】
【００６５】
【図１】本発明の実施形態による送信制御サーバ装置を用いたＰｏＣグループ通信システムの構成例を示すブロック図である。
【図２】ＰｏＣグループ通信システムにおいて送受信される制御信号のデータ構造の例を示す図である。
【図３】図１中の送信制御サーバ装置が有している機能のうち、本システムに関連性のある機能構成を示すブロック図である。
【図４】図１中の通信端末が有している機能のうち、本システムに関連性のある機能構成を示すブロック図である。
【図５】図１のＰｏＣグループ通信システムの動作例を示す図である。
【図６】図１のＰｏＣグループ通信システムの動作例を示す図である。
【図７】ＰｏＣグループ通信システムの動作例１の一部を示すシーケンス図である。
【図８】ＰｏＣグループ通信システムの動作例１の一部を示すシーケンス図である。
【図９】ＰｏＣグループ通信システムの動作例１の一部を示すシーケンス図である。
【図１０】ＰｏＣグループ通信システムの動作例２の一部を示すシーケンス図である。
【図１１】ＰｏＣグループ通信システムの動作例３の一部を示すシーケンス図である。
【図１２】ＰｏＣグループ通信システムの動作例３の一部を示すシーケンス図である。
【図１３】ＰｏＣグループ通信システムの動作例３の一部を示すシーケンス図である。
【図１４】ＰｏＣグループ通信システムの動作例２の一部を示すシーケンス図である。
【図１５】ＰｏＣグループ通信システムの動作例３の一部を示すシーケンス図である。
【図１６】ＰｏＣグループ通信システムの動作例３の一部を示すシーケンス図である。
【図１７】ＰｏＣグループ通信システムの動作例３の一部を示すシーケンス図である。
【図１８】ＰｏＣグループ通信システムの動作例３の一部を示すシーケンス図である。
【符号の説明】
【００６６】
１０ａ、４１ａ  画像データ記憶部
１０ｂ  画像データ受信部
１１、１２、１３  通信端末
２１、２２、２３  交換機
３１、３２、３３  ＳＩＰサーバ装置
４０  送信制御サーバ装置
４１ｂ  画像データ送信部
４１  ＭＲＦＣ機能部
４２  ＭＲＦＰ機能部
１００ａ  ＳＩＰヘッダ部
１００ｂ  ＳＩＰボディ部
１００  制御信号
【図１】
2008301195.tif 000003
【図２】
2008301195.tif 000004
【図３】
2008301195.tif 000005
【図４】
2008301195.tif 000006
【図５】
2008301195.tif 000007
【図６】
2008301195.tif 000008
【図７】
2008301195.tif 000009
【図８】
2008301195.tif 000010
【図９】
2008301195.tif 000011
【図１０】
2008301195.tif 000012
【図１１】
2008301195.tif 000013
【図１２】
2008301195.tif 000014
【図１３】
2008301195.tif 000015
【図１４】
2008301195.tif 000016
【図１５】
2008301195.tif 000017
【図１６】
2008301195.tif 000018
【図１７】
2008301195.tif 000019
【図１８】
2008301195.tif 000020